(57)【要約】      （修正有）【課題】引き戸のスライド移動の開始の際に必要となる力を小さくするとともに、開閉動作の際の走行音を抑える。【解決手段】壁体により区成されるとともに開口部を有する領域の開口部に設けられる引き戸に、開口部を閉塞可能であり上端部を吊持部材Ｔに支持させてなる戸板１と、この戸板１の配設位置から該戸板１の板厚方向へ変位させて前記開口部の上開口縁部及びこの開口部に隣接する領域に配置される案内レール３、この案内レール３と前記戸板１とを接続するとともに前記戸板１を開閉方向に沿って移動可能に支持させてなる可動部４、及び前記可動部４の前記案内レール３から前記戸板１に向かう方向への移動を規制する規制部を有する支持機構２とを具備させるとともに、この支持機構２の可動部４に、前記案内レール３の案内面に下端部で接する転動輪と、この転動輪と引き戸１とを接続する持出部材とを具備する構成を採用する。【選択図】図３
2008308924.tif 000002
【特許請求の範囲】
【請求項１】
壁体により区成されるとともに開口部を有する領域の開口部に設けられるものであって、開口部を閉塞可能であり上端部を吊持部材に支持させてなる戸板と、この戸板の配設位置から該戸板の板厚方向へ変位させて前記開口部の上開口縁部及びこの開口部に隣接する領域に配置される案内レール、この案内レールと前記戸板とを接続するとともに前記戸板を開閉方向に沿って移動可能に支持させてなる可動部、及び前記可動部の前記案内レールから前記戸板に向かう方向への移動を規制する規制部を有する支持機構とを具備するとともに、この支持機構の可動部が、前記案内レールの案内面に下端部で接する転動輪と、この転動輪と引き戸とを接続する持出部材とを具備することを特徴とする引き戸。
【請求項２】
前記案内レールが戸板のスライド方向に延伸する案内突条を有するとともに、前記転動輪がこの案内突条に係合可能な凹部を有することを特徴とする請求項１記載の引き戸。
【請求項３】
前記案内レールが前記戸板側に開口し前記転動輪を収納可能な開口部を有するチャネル状をなすとともに、前記規制部が、この案内レールの開口部の上内面と、前記持出部材から前記案内レール側に突出させて設けた規制部材とを当接させてなることを特徴とする請求項１又は２記載の引き戸。
【請求項４】
前記規制部が、前記案内レールの上内面に戸板と反対側に向かう傾斜を有する傾斜部と、前記持出部材から前記案内レール側に突出する枢着軸回りに回動し側面が前記傾斜部に当接する副転動輪とを具備することを特徴とする請求項３記載の引き戸。
【請求項５】
壁面を構成するパネル要素と、このパネル要素の上端部を支持するパネル支持具とを有する壁体とともに用いられるものであって、前記持出部材が前記パネル要素の上方に位置するとともに、前記転動輪と前記吊持部材との間に前記パネル要素を配するようにしていることを特徴とする請求項１、２、３又は４記載の引き戸。
【請求項６】
透明な板体を利用して形成した前記パネル要素と、上方に開口し前記案内レールを収納可能なレール収納空間を有するチャネル状の前記パネル支持具とを具備する前記壁体とともに用いられるものであって、前記吊持部材の上端の高さ位置を前記パネル支持具の下端の高さ位置よりも上方に位置させていることを特徴とする請求項５記載の引き戸。
【発明の詳細な説明】
【技術分野】
【０００１】
本発明は、オフィス等における居住空間を区成する間仕切りの一部に開口部を設けている際に、開口部の開口縁に沿って配置され、上端部を吊持部材に支持させてなる戸板を具備する引き戸に関する。
【背景技術】
【０００２】
オフィス等における居住空間を区成する手段として、間仕切りが利用されているのは周知のところである。そして、かかる間仕切りによって囲まれた部屋に出入りするために、間仕切りの一部に開口を形成して引き戸を配し、これを出入口とすることが行われている。
【０００３】
ところで、従来よりこの種の引き戸として、戸板を吊り下げて支持すべく、開口の上縁近傍に案内レールを設ける一方、この案内レール直下に吊持部材を介して戸板を吊り下げた状態に支持させ、戸板の下端側を基本的に自由端としたものが考えられている。しかし、この構成では、案内レール直下に戸板を設けているため、戸板の上方に案内レール及び吊持部材が配されることとなり、特に戸板を透明な板体により構成する場合、開口部の高さ寸法がその分だけ小さくなる不具合が発生する。そこで、戸板の上端部を吊持部材に支持させてなるとともに、戸板の配設位置から板厚方向へ変位させて開口縁に配置される案内レールと、この案内レールに係合させてなるスライダと、このスライダと吊持部材とを接続する可動ブラケットとを具備する支持機構を備える構成のものが考えられている（例えば、特許文献１を参照）。特許文献１記載のようなものであれば、案内レールを戸板の配設位置から板厚方向へ変位させて配置しているので、戸板の上方には吊持部材のみが配され、また、案内レールの下端よりも吊持部材を上方に配置できるので、前記不具合は解消できる。
【特許文献１】特開２００３−３１４１３３号公報
【発明の開示】
【発明が解決しようとする課題】
【０００４】
しかし、戸板を強化ガラスにより構成したもの等、戸板の重量が大きな引き戸の場合、特許文献１記載の構成のような案内レールとスライダとを係合させる構成では、戸板のスライド移動の開始の際に大きな力を加えることが必要となる。また、このような構成では、スライダが長手寸法の略全域にわたって案内レールと係合するので、これらの接触部分の面積が大きく、これに伴い走行音が大きくなる不具合も存在する。
【０００５】
本発明は、以上に述べた課題を解決すべく構成するものである。
【課題を解決するための手段】
【０００６】
すなわち、本発明に係る引き戸は、壁体により区成されるとともに開口部を有する領域の開口部に設けられるものであって、開口部を閉塞可能であり上端部を吊持部材に支持させてなる戸板と、この戸板の配設位置から該戸板の板厚方向へ変位させて前記開口部の上開口縁部及びこの開口部に隣接する領域に配置される案内レール、この案内レールと前記戸板とを接続するとともに前記戸板を開閉方向に沿って移動可能に支持させてなる可動部、及び前記可動部の前記案内レールから前記戸板に向かう方向への移動を規制する規制部を有する支持機構と具備するとともに、この支持機構の可動部が、前記案内レールの案内面に下端部で接する転動輪と、この転動輪と引き戸とを接続する持出部材とを具備することを特徴とする。
【０００７】
このようなものであれば、案内レールと転動輪とを利用することにより、案内レールとスライダとを係合させる特許文献１記載の構成と比較して、引き戸のスライド移動の開始の際に必要となる力を小さくすることができる。また、案内レールと転動輪とは転動輪の下端のみで接触するので、接触部分の面積が小さく、開閉動作の際の走行音を抑えることができる。加えて、案内レールと転動輪とを利用するので、従来の引き戸と同様の構成の部品を用いることができる。
【０００８】
戸板の移動方向を簡単な構成でガイドできるようにするための構成として、前記案内レールが戸板のスライド方向に延伸する案内突条を有するとともに、前記第１の転動輪がこの案内突条に係合可能な凹部を有するものが挙げられる。
【０００９】
また、戸板を上下方向のがたなく支持できるようにするための構成として、前記案内レールが前記戸板側に開口し前記転動輪を収納可能な開口部を有するチャネル状をなすとともに、前記規制部が、この案内レールの開口部の上内面と、前記持出部材から前記案内レール側に突出させて設けた規制部材とを当接させてなるものが挙げられる。このようなものであれば、下方への移動は前記転動輪、上方への移動は前記規制部材により規制できるからである。
【００１０】
さらに、前記規制部が、前記案内レールの上内面に戸板と反対側に向かう傾斜を有する傾斜部と、前記持出部材から前記案内レール側に突出する枢着軸回りに回動し側面が前記傾斜部に当接する副転動輪とを具備するものであれば、副転動輪を常時前記傾斜部に当接させて効果的に戸板の倒れ止めを行うことができる。
【００１１】
また、壁面を構成するパネル要素と、このパネル要素の上端部を支持するパネル支持具とを有する壁体とともに用いられるものであって、前記持出部材が前記パネル要素の上方に位置するとともに、前記転動輪と前記吊持部材との間に前記パネル要素を配するようにしているものであれば、戸板側から転動輪及び案内レールを目立たなくでき、外観を整えることができる。
【００１２】
特に、透明な板体を利用して形成した前記パネル要素と、上方に開口し前記案内レールを収納可能なレール収納空間を有するチャネル状の前記パネル支持具とを具備する前記壁体とともに用いられるものであって、前記吊持部材の上端の高さ位置を前記パネル支持具の下端の高さ位置よりも上方に位置させているものであれば、案内レールの直下に転動輪を有する吊持部材を配する態様と比較して、透明な部分の高さ寸法をより大きくとることができる。
【発明の効果】
【００１３】
本発明に係る引き戸の構成によれば、案内レールと転動輪とを利用することにより、案内レールとスライダとを係合させる特許文献１記載の構成と比較して、引き戸のスライド移動の開始の際に必要となる力を小さくすることができる。また、案内レールと転動輪とは転動輪の下端のみで接触するので、接触部分の面積が小さく、開閉動作の際の走行音を抑えることができる。加えて、案内レールと転動輪とを利用するので、従来の引き戸と同様の構成の部品を用いることができる。
【発明を実施するための最良の形態】
【００１４】
以下、本発明の一実施形態を、図面を参照して説明する。
【００１５】
図１〜図４に示すように、この実施形態に係る引き戸Ｄは、建物の天井Ｃと床Ｆとの間にあって且つガラス等のパネル体を組み込んだ壁体たる非可動部Ｌと支柱Ｐとの間に形成される開口部Ｓを閉塞可能に設けられるものであって、上端部を吊持部材Ｔに支持させてなる戸板１と、この戸板１の配設位置から該戸板の板厚方向へ変位させて前記開口部の上開口縁近傍に配置される案内レール３、及びこれら案内レール３と戸板１とを接続するとともに前記戸板１を開閉方向に沿って移動可能に支持させてなる可動部４とを有する支持機構２と、前記と板を閉止位置にロック可能なロック機構６とを具備する。そして、前記戸板１を、非可動部Ｌに隣接する位置である閉止位置と、非可動部Ｌと略重合する位置である開成位置との間で移動可能にしていて、この戸板１を前記開成位置に配することによって当該開口部Ｓを開成させるものである。
【００１６】
前記支持機構２は、前記図２、図３及び図４に示すように、また、図５及び図６に示すように、可動部４の一部を引き戸１の配設位置に持ち出して、この持ち出し端側に戸板１を取り付けている。また、この支持機構２は、前記可動部４の前記案内レール３から前記戸板１に向かう方向への移動を規制する規制部５をさらに有する。
【００１７】
具体的に説明すると、前記図４〜図６に示すように、前記案内レール３は、前記戸板１側に開口する開口部３ｘを有するチャネル状の部材であって、両端部を支柱Ｐに支持させてなる。また、この案内レール３の開口部３ｘの下面には、戸板１のスライド方向すなわち幅方向に延伸する案内突条３ａを設けている。さらに、この案内レール３の開口部３ｘの上面には、戸板１と反対方向に向く傾斜部３ｂを設けている。そして、この案内レール３は、本実施形態では非可動部のＬの厚さ寸法内に配している。
【００１８】
なお、前記パネル要素Ｌ１は、本実施形態ではガラス板を利用して形成している。また、前記図４〜図６に示すように、このパネル要素Ｌ１、Ｌ１の上端部は、パネル支持具Ｌ２に支持させている。このパネル支持具Ｌ２は、上方に開口し内部に前記案内レール３を収納可能な案内レール収納空間Ｌ２１ｓを有する。さらに詳述すると、このパネル支持具Ｌ２は、底壁Ｌ２１１、この底壁Ｌ２１１の前後両端からそれぞれ起立する前壁Ｌ２１２及び後壁Ｌ２１３、これら前壁Ｌ２１２及び後壁Ｌ２１３の上端に設けられ戸板１を保持する戸板保持具Ｌ２１４、並びにこれら底壁Ｌ２１１、前壁Ｌ２１２、及び後壁Ｌ２１３により区成される前記案内レール収納空間Ｌ２１ｓを有する第１要素Ｌ２１と、この第１要素Ｌ２１の上方に設けられ天井に取り付けてなる第２要素Ｌ２２とを具備する。そして、第１要素の前壁及び後壁により、前記案内レール３の下部を隠蔽するようにしている。
【００１９】
一方、可動部４は、前記図４〜図６に示すように、前記案内突条３ａに係合可能な凹部を有する転動輪４１と、この転動輪４１と戸板１の上端とを接続する、より詳細には前記転動輪４１と吊持部材Ｔとの間に介在させてなる持出部材４２とを具備する。
【００２０】
さらに詳述すると、前記転動輪４１は、前記案内レール３の案内突条３ａと凹部４１ｘで接する状態を保ちつつ、この案内レール３ａの長手方向に転動可能である。前記持出部材４２は、前記転動輪４１を枢支する枢支軸４３１を突出させてなる板状の転動輪支持体４３と、この転動輪支持体４３と前記吊持部材Ｔとを接続するブラケット４４とを具備する。前記ブラケット４４は、下方に開口するチャネル状の部材であり、前記転動輪支持体４３に対向する板状の起立板部４４１と、吊持部材Ｔに接続してなり前記起立板部４４１と対向する板状の戸板取付部４４２と、これら起立板部４４１及び引き戸取付部４４２の上端部を接続する持出部４４３とを有する。そして、このブラケット４４の持出部４４３は、前記非可動部Ｌのパネル要素Ｌ１の上端よりも上方に位置し、前記転動輪４１と前記戸板との間に前記パネル要素Ｌ１を配することを可能にしている。
【００２１】
また、前記規制部５は、前記図４〜図６に示すように、前記案内レール３の開口部３ｘの上面に設けた傾斜部３ｂと、側面がこの傾斜部３ｂに摺接可能な規制部材たる副転動輪５１とを当接させてなる。この副転動輪５１は、下端が前記転動輪４１の下端よりも上方に位置し、前記転動輪支持体から突出させて設けた枢支軸に枢支させている。また、戸板１側の表面の直径を反対側の表面の直径よりも小さくしていて、この副転動輪５１の側面が、上端部において戸板１側を向く傾斜面５１ａとなるよう構成している。そして、この傾斜面５１ａが案内レール３の上内面に設けた前記傾斜部３ｂと接した状態を保ちつつ転動するようにしている。
【００２２】
引き戸Ｄの開閉動作の際には、上述したように、前記転動輪４１が前記案内レール３の案内突条３ａと凹部４１ｘで接する状態を保ちつつ、この案内レール３ａの長手方向に転動し、戸板１の移動方向を案内する。また、この戸板１及び可動部４は、案内レール３と離間する方向に作用を受けるが、副転動輪５１の側面すなわち傾斜面５１ａが上述したように案内レール３に設けた傾斜部３ｂに摺接していて、これら引き戸１及び可動部４と案内レール３との離間を規制している。
【００２３】
そして、前記ロック機構６は、前記図１に示すように、また、図７に平面図、図８に正面図、図９〜図１１に側面図を示すように、戸板１に設けてなり施錠時及び解錠時の操作力を受け付ける錠前６１と、この錠前６１から操作力の伝達を受けて昇降する操作力伝達機構６２と、この操作力伝達機構６２から操作力を受けて解錠位置から施錠位置に、又はその逆方向に移動可能な係止爪６３とを具備する。ここで、この係止爪６３は、前記施錠位置では、前記パネル要素保持具Ｌ２に設けた上方に開口する係止穴Ｈに係合する。ここで、前記図９は、係止爪６３を施錠位置に移動させて係止穴Ｈに係合させた状態、図１０は係止爪６３を解錠位置に移動させた状態、図１１は係止爪６３を解錠位置から施錠位置へ、またはその逆の方向へ移動させる途中の一状態をそれぞれ示している。
【００２４】
前記錠前６１は、本実施形態では、一般的なシリンダ錠の錠前として周知のものである。すなわち、鍵（図示略）を挿入可能な鍵穴を有し、この鍵穴に鍵を挿入させた状態で鍵を回転させる操作力を受け付けるシリンダ部６１１と、このシリンダ部６１１が施錠を行うべく操作力を受け付けた際に上昇動作を行い、また、前記シリンダ部６１１が解錠を行うべく操作力を受け付けた際に下降動作を行うデッドボルト６１２とを有する。
【００２５】
前記操作力伝達機構６２は、解錠位置から施錠位置への移動動作中に前記係止爪を上方に移動させる昇降駆動部６４と、前記係止爪６３が施錠位置において戸板１から該戸板１の厚さ方向に突出するようにすべく昇降駆動部６４から動力の伝達を受けて係止爪６３に施錠位置と解錠位置との間で回動動作を行わせる回動駆動部６５とを具備する。また、これら昇降駆動部６４及び回動駆動部６５は直方体状のハウジング６６内に収納していて、このハウジング６６を戸板１内部の上隅部に取り付けるようにしている。
【００２６】
前記昇降駆動部６４は、本実施形態では、一端部を第１の枢着軸Ｘ１を介して前記係止爪６３の一端部に接続してなる第１のリンクメンバ６４１と、一端部を第２の枢着軸Ｘ２を介して前記第１のリンクメンバ６４１に枢着し、他端部を第３の枢着軸Ｘ３を介して前記ハウジング６６に接続してなるとともに、中間部を第４の枢着軸Ｘ４を介して前記錠前６１のデッドボルト６１２に接続している第２のリンクメンバ６４２とを具備する。この昇降駆動部６４は、錠前６１のデッドボルト６１２からの操作力の伝達を受けて係止爪６３の一端部を昇降動作させる。また、前記第２の枢着軸Ｘ２は、前記第１のリンクメンバ６４１に設けた長孔６４１ｘに係合させるようにしていて、この長孔６４１ｘ内を移動可能にしている。
【００２７】
前記回転駆動部６５が、一端部を第５の枢着軸Ｘ５を介して前記ハウジング６６に、また、他端部を第６の枢着軸Ｘ６を介して係止爪６３の中間部にそれぞれ接続したリンクメンバ６５１を有する。この回転駆動部６５は、係止爪６３の一端部が前記昇降駆動部６４から動力の供給を受けて昇降する際、前記リンクメンバ６５１及び係止爪６３からなるリンク機構により、該係止爪６３の中間部を回動動作させる。
【００２８】
ここで、前記係止爪６３は、解錠位置においてはハウジング６６の内部、すなわち戸板１内部に収納されていて、略鉛直方向に延伸している。解錠状態から施錠状態に変化させるべく錠前６１に鍵（図示略）を挿入し回転操作力を加えると、デッドボルト６１２が上方に移動する。前記昇降駆動部６４は、このデッドボルト６１２から駆動力の伝達を受けて係止爪６３の基端部を上昇させる。一方、前記回転駆動部６５は、係止爪６３の基端部の上昇を受けてリンクメンバ６５１を回動させることにより、係止爪６３を回動させて係止穴Ｈの方向に突出させる。また、施錠状態から解錠状態に変化させるべく錠前６１に鍵（図示略）を挿入し回転操作力を加えた際には、昇降駆動部６４及び回転駆動部６５が逆向きに動作し、係止爪６３がハウジング６６の内部、すなわち戸板１の内部に収納される。
【００２９】
以上に述べたように、本発明に係る引き戸Ｄは、壁体により区成されるとともに開口部を有する領域の開口部Ｓに設けられるものであって、開口部Ｓを閉塞可能であり上端部を吊持部材Ｔに支持させてなる戸板１と、この戸板１の配設位置から該戸板１の板厚方向へ変位させて前記開口部Ｓの上開口縁部及びこの開口部Ｓに隣接する領域に配置される案内レール３、この案内レール３と前記戸板１とを接続するとともに前記戸板１を開閉方向に沿って移動可能に支持させてなる可動部４、及び前記可動部４の前記案内レール３から前記戸板１に向かう方向への移動を規制する規制部５を有する支持機構２と具備するとともに、この支持機構２の可動部４が、前記案内レール３の案内面に下端部で接する転動輪４１と、この転動輪４１と引き戸１とを接続する持出部材４２とを具備する。従って、案内レール３と転動輪４１とを利用することにより、案内レールとスライダとを係合させる特許文献１記載の構成と比較して、引き戸１のスライド移動の開始の際に必要となる力を小さくすることができる。また、案内レール３と転動輪４とは転動輪４の下端のみで接触するので、接触部分の面積が小さく、開閉動作の際の走行音を抑えることができる。加えて、案内レール３と転動輪４とを利用するので、従来の引き戸と同様の構成の部品を用いることができる。
【００３０】
また、前記案内レール３が戸板１のスライド方向に延伸する案内突条３ａを有するとともに、前記転動輪４１がこの案内突条３ａに係合可能な凹部４１ｘを有するので、戸板１の移動方向を簡単な構成でガイドすることができる。
【００３１】
さらに、前記案内レール３が前記戸板側１に開口し前記転動輪４１を収納可能な開口部３ｘを有するチャネル状をなすとともに、前記規制部５が、この案内レール３の開口部３ｘの上内面に設けた傾斜部３ｂと、前記持出部材４２から前記案内レール３側に突出する枢着軸回りに回動し側面が前記傾斜部３ｂに当接する副転動輪５１とを当接させてなるので、可動部４の下方への移動は前記転動輪４１、上方への移動は前記副転動輪５１により規制でき、戸板１を上下方向のがたなく支持できる。加えて、副転動輪５１を常時前記傾斜部３ｂに当接させて効果的に戸板１の倒れ止めを行うこともできる。
【００３２】
加えて、この引き戸Ｄは、壁面を構成するパネル要素Ｌ１と、このパネル要素Ｌ１の上端部を支持するパネル支持具Ｌ２とを有する壁体Ｌとともに用いられるものであって、前記持出部材４２が前記パネル要素Ｌ１の上方に位置するとともに、前記転動輪４１と前記吊持部材Ｔとの間に前記パネル要素Ｌ１を配するようにしているので、戸板１側から転動輪４１及び案内レール３を目立たなくでき、外観を整えることができる。
【００３３】
そして、前記パネル要素Ｌ１を透明な板体を利用して形成し、前記パネル支持具Ｌ２が上方に開口し前記案内レール３を収納可能なレール収納空間を有するとともに、前記吊持部材Ｔの上端の高さ位置を前記パネル支持具Ｌ２の下端の高さ位置よりも上方に位置させているので、案内レール３の直下に転動輪を有する吊持部材を配する態様と比較して、透明な部分の高さ寸法をより大きくとることができる。
【００３４】
なお、本発明は以上に述べた実施態様に限られない。
【００３５】
例えば、天井に直接案内レールを取り付けてなる引き戸に本発明に係る構成を採用してもよい。すなわち、戸板側に開口するチャネル状の案内レールを天井に直接取り付け、この案内レールの案内面に可動部の転動輪の下端部が接する態様を採用してもよい。
【００３６】
また、上述した実施形態において、戸板及び非可動部のパネル要素を透明な板体により形成する代わりに、例えば板面をそれぞれ同一の色に彩色した板体により形成した場合であっても、吊持部材の上端の高さ位置をパネル支持具の下端の高さ位置よりも上方に配している、より好ましくは吊持部材の下端の高さ位置をパネル支持具の下端の高さ位置と一致させているものであれば、戸板と非可動部との見た目を統一して見栄えを整えることができる。
【００３７】
さらに、規制部は、副転動輪を用いた上述した実施形態の構成に限らず、例えば、案内レールの内上面から鉛直下方に垂下して設けた規制突起と可動部の転動輪自体とを摺接させる構成でもよく、また、このような規制突起と副転動輪とを摺接させる構成でもよい。
【００３８】
そして、案内レールに案内突条を設ける上述した実施形態の構成に限らず、例えば、案内レールの案内面に案内溝を設け、転動輪の外周面にこの案内溝に係合可能な突条を設けるようにしてもよい。
【００３９】
その他、本発明の趣旨を逸脱しない範囲で種々変形が可能である。
【図面の簡単な説明】
【００４０】
【図１】本発明の一実施形態に係る引き戸を示す全体正面図。
【図２】図１におけるａ−ａ断面図。
【図３】図１におけるｂ−ｂ断面図。
【図４】同実施形態に係る引き戸の上部を示す側断面図。
【図５】同実施形態に係る引き戸の案内レール及び転動輪を示す正面図。
【図６】同実施形態に係る引き戸の案内レール及び転動輪を示す平面図。
【図７】同実施形態に係る引き戸のロック機構近傍を示す平面図。
【図８】同実施形態に係る引き戸のロック機構近傍を示す正面図。
【図９】同実施形態に係る引き戸のロック機構の係止爪を施錠位置に配した状態を示す側断面図。
【図１０】同実施形態に係る引き戸のロック機構の係止爪を解錠位置に配した状態を示す側断面図。
【図１１】同実施形態に係る引き戸のロック機構の動作説明図。
【符号の説明】
【００４１】
Ｄ…引き戸
１…戸板
２…支持機構
３…案内レール
４…可動部
４１…転動輪
４２…持出部材
５…規制部
【図１】
2008308924.tif 000003
【図２】
2008308924.tif 000004
【図３】
2008308924.tif 000005
【図４】
2008308924.tif 000006
【図５】
2008308924.tif 000007
【図６】
2008308924.tif 000008
【図７】
2008308924.tif 000009
【図８】
2008308924.tif 000010
【図９】
2008308924.tif 000011
【図１０】
2008308924.tif 000012
【図１１】
2008308924.tif 000013